(57)【要約】【課題】キャップ無しの形態で、かつ高いシール強度が確保し易い超音波融着にて閉鎖体を取り付けることができるようにし、内容物の漏れがなく、取り扱いの容易な液体容器を得る。【解決手段】容器本体２に配した口具３を、挿入孔４を中央に位置させた口具本体５と、ノズル挿入方向での上方側から挿入孔４を覆ってノズルによる突き刺し開口が可能な閉鎖体６とからなるものとし、口具本体５は、挿入孔４の周囲に広がる環状部位７を介した筒状部位８を備え、閉鎖体６の外周部を、環状部位７と、筒状部位８の基端との少なくとも一方に融着した。【選択図】  図１
2006240646.tif 000002
【特許請求の範囲】
【請求項１】
容器本体に、該容器本体に収納した液体を引き出す吸引機構のノズルが挿入可能な挿入孔を有した口具を配置した液体容器であって、
前記口具は、前記挿入孔を中央に位置させた熱融着可能な素材から成形されている口具本体と、口具正面から容器本体内側に向けてノズルを差し込むノズル挿入方向での上方側から前記挿入孔を覆い、ノズルによる突き刺し開口が可能な閉鎖体とからなり、
前記口具本体は、挿入孔の周囲に広がる環状部位を介してノズル挿入方向上方に向けて延設された筒状部位を備え、
前記閉鎖体の少なくとも外周部が熱融着可能な素材からなり、該この閉鎖体の外周部が、前記環状部位と、この環状部位との連続部分であって環状部位に対してノズル挿入方向上方位置となる筒状部位の基端との少なくとも一方に融着されて、
前記閉鎖体により口具を介した液体流路が閉じられていることを特徴とする液体容器。
【請求項２】
上記環状部位との連続部分であって環状部位に対してノズル挿入方向上方位置となる筒状部位の基端に、段状の閉鎖体融着部が一体に設けられている請求項１に記載の液体容器。
【請求項３】
上記挿入孔の開口周縁をノズル挿入方向上方に向けて突出して内筒部が一体に設けられている請求項１または２に記載の液体容器。
【請求項４】
上記内筒部の突出高さ位置が、上記閉鎖体の融着位置よりノズル挿入方向上方である請求項３に記載の液体容器。
【請求項５】
上記環状部位と閉鎖体との間に、クッション性を有する環状の発泡シートが位置している請求項１から４の何れか一項に記載の液体容器。
【請求項６】
上記発泡シートはポリエチレン樹脂から成形されたものである請求項５に記載の液体容器。
【請求項７】
上記閉鎖体は環状のプレートに二軸延伸してなるフィルムを一層含むシートを貼り合わせてなり、前記プレート内に位置するシートが上記挿入孔に対応位置する請求項１から６の何れか一項に記載の液体容器。
【請求項８】
上記閉鎖体の外周部は口具本体に超音波融着されている請求項１から７の何れか一項に記載の液体容器。
【請求項９】
上記口具本体が破断容易なフィルムで覆われている請求項１から８の何れか一項に記載の液体容器。
【発明の詳細な説明】
【技術分野】
【０００１】
本発明は口具の閉鎖部分を吸引用のノズルで破ることでそのノズルで収納液体を吸引できるようにした液体容器に関するものである。
【背景技術】
【０００２】
従来から、吸引用のノズルを有した吸引機構により液体を取り込む装置に対応した液体容器にあっては、吸引機構との接続に際して、ノズルを突き刺しした時点で液体の流路が形成されるようにするため、液体容器の注出口をノズルの突き刺し開口ができるシート状部材で覆い、そしてノズルが通る開口を有したキャップを注出口に取り付けることでキャップと注出口とでシート状部材を挟み込み支持し、必要時にキャップの上方からノズルをシート状部材に突き刺すことができる構成が提案されている（特許文献１、２参照）。
また、インキ収納用の液体容器においても、インキ充填装置や印刷装置などとその液体容器との接続を簡単に行なうためにノズルの差し込みに対応できる構成の開発が試みられており、剛性液体容器のノズル装着開口を容器本体内に移動可能に配した中栓で開閉できる工夫が提案されている（特許文献３参照）。
【特許文献１】特開平１１−９１８０９号公報
【特許文献２】特開平１１−９１８１０号公報
【特許文献３】特開２００４−２３７７２２号公報
【発明の開示】
【発明が解決しようとする課題】
【０００３】
上述したインキ収納用途の液体容器においては、一般オフィス用複写機におけるインキ収納用の液体容器もあり、複写機のインキの吸引機構に対してインキ充填済みの新規の液体容器をユーザーが装填する手間を考慮して上記ノズルの突き刺しにて流路が形成できるようにしたものがある。
このインキを収納した液体容器は、図１１に示すようにフレキシブルなフィルム素材で少なくとも表面積の半分以上が構成された容器本体ａに、吸引機構側のノズルｂが通ることのできる挿入孔ｃが開口されている口具ｄを取り付けたものである。そして、口具ｄにあっては、挿入孔ｃの径より大口径とした筒状部位ｅの奥面側の中央にその挿入孔ｃを位置させ、挿入孔ｃの周囲を環状部位ｆとした構造としていた。
このような液体容器では、予め挿入孔ｃからインキが容器本体ａ内に充填され、その後、筒状部位ｅに囲まれた空間にノズルによる突き刺し開口が可能な閉鎖体ｇを、筒状部位ｅの内側に形成されたアンダーカットｈを超える位置まで押し込んでいて、前記環状部位ｆに対する閉鎖体ｇを押し付けで挿入孔ｃを覆うようにしている。そして、前記閉鎖体ｇを押さえ付けることができるように筒状部位ｅに囲まれた空間に入る凹部ｉを備えたキャップｊを口具ｄに取り付けたものが製品として一般のユーザー向けに出荷されている。
この液体容器では、粘度の高いインキが吸引し易いように容器本体の側面における容器下端側に側方に口具が向いた口具レイアウトとしたり、容器本体の底面に口具が下方に向いた口具レイアウトとすることがある。
【０００４】
上記複写機では、ユーザーがキャップを外してから容器を複写機の充填部位に配し、装填部の操作を行なうようにしており、その操作によって口具の上記閉鎖体に対して複写機側の吸引機構にあるノズルが突き刺さり、インキを吸引できる流路が形成されるようにしている。
【０００５】
しかしながら、この液体容器にあっては以下に示す問題があった。
まず、容器内のインキの使用残存を極力少なくするべく、インキの吸引に伴って容器本体の内容量が小さくなるようにフレキシブルなフィルム材を使用しているため、新規なインキが充填された液体容器においてキャップを外した後の取り扱い時に容器本体を強く圧迫すると、キャップの凹部による閉鎖体の支持がなくなっていることも関連して内容物であるインキが挿入孔で閉鎖体を押して漏れ出る可能性があった。
つぎに閉鎖体を環状部位に押さえ付けているアンダーカットだけでの押さえ付け力では、流動性の高い液体の漏れを防止することができないという危惧がある。即ち、収納物のインキが分解気味になると低粘度の成分が分離することがあり、この低粘度で流動性の高い成分の漏れを確実に防止するには、アンダーカットによる閉鎖体の押し付け力が不足している。
【０００６】
また、不正な再充填の問題があった。製品の液体容器が上述したように閉鎖体をアンダーカットを越えるように押し込んで挿入孔を閉じたものであったため、使用済みの液体容器の口具から正規な閉鎖体（開口済み）を取り除き、不正充填した後に間に合わせのシートを押し入れて挿入孔を閉じることが行われる可能性が高く、このような液体容器では内容物のインキが不完全な挿入孔の閉鎖によって酸化したり、乾燥したりする。そして、このような不正再充填された液体容器を複写機にセットすることで、複写機側にトラブルが起こる可能性がある。
【０００７】
つぎに、この液体容器では上述したように挿入孔から内容物を充填し、閉鎖体を押し入れてからその閉鎖体の外周部と挿入孔周りにある上記環状部位とを熱シールしているものがあるが、内容物の充填の際、内容物が環状部位に付着することがあり、この状態で閉鎖体を配置して熱シールしてもシール強度が著しく低く、内容物の漏れを防止できないという問題があった。
なお、口具以外から容器本体に充填するには、単純なシールで確実に閉鎖できる構成のものでなければならず、そうすると、液体容器全体がかさばった形になったり、容器本体のフィルム材などを多く必要としたり、吸引できずに使用終了となった状態での液体容器に残るインキ残量が多くなるという問題が発生する。
そして、つぎの問題としては、複写機への液体容器の装填でユーザーが上記キャップを付けたままでの装填を行ない、ノズルを損傷してしまうということがある。即ち、凹部（閉鎖体を支持する部分）を有したキャップ形状であるため、その凹部をユーザーがノズル挿入部分と見間違えてキャップ付きのままで装填をしてしまうものであった。このため、キャップ付き装填のトラブルが生じないようにすることが望まれていた。
【０００８】
そこで本発明は上記事情に鑑み、キャップ無しの形態で、かつ高いシール強度が確保し易い超音波融着にて閉鎖体を取り付けることができるようにすることを課題とし、内容物の漏れがなく、取り扱いの容易な液体容器を得ることを目的とするものである。
【課題を解決するための手段】
【０００９】
本発明は上記課題を考慮してなされたもので、容器本体に、該容器本体に収納した液体を引き出す吸引機構のノズルが挿入可能な挿入孔を有した口具を配置した液体容器であって、前記口具は、前記挿入孔を中央に位置させた熱融着可能な素材から成形されている口具本体と、口具正面から容器本体内側に向けてノズルを差し込むノズル挿入方向での上方側から前記挿入孔を覆い、ノズルによる突き刺し開口が可能な閉鎖体とからなり、前記口具本体は、挿入孔の周囲に広がる環状部位を介してノズル挿入方向上方に向けて延設された筒状部位を備え、前記閉鎖体の少なくとも外周部が熱融着可能な素材からなり、該この閉鎖体の外周部が、前記環状部位と、この環状部位との連続部分であって環状部位に対してノズル挿入方向上方位置となる筒状部位の基端との少なくとも一方に融着されて、前記閉鎖体により口具を介した液体流路が閉じられていることを特徴とする液体容器を提供して、上記課題を解消するものである。
【００１０】
また、本発明において、上記環状部位との連続部分であって環状部位に対してノズル挿入方向上方位置となる筒状部位の基端に、段状の閉鎖体融着部が一体に設けられているものとすることが良好である。
また、本発明において、上記挿入孔の開口周縁をノズル挿入方向上方に向けて突出して内筒部が一体に設けられているものとすることが良好である。
また、本発明において、上記内筒部の突出高さ位置が、上記閉鎖体の融着位置よりノズル挿入方向上方とすることが良好である。
また、本発明において、上記環状部位と閉鎖体との間に、クッション性を有する環状の発泡シートが位置しているものとすることが良好である。
また、本発明において、上記発泡シートはポリエチレン樹脂から成形されたものであることが良好である。
また、本発明において、上記閉鎖体は環状のプレートに二軸延伸してなるフィルムを一層含むシートを貼り合わせてなり、前記プレート内に位置するシートが上記挿入孔に対応位置するものであることが良好である。
また、本発明において、上記閉鎖体の外周部は口具本体に超音波融着されていることが良好である。
また、本発明において、上記口具本体が破断容易なフィルムで覆われているものとすることが良好である。
【発明の効果】
【００１１】
（請求項１）
請求項１の発明により、従来のキャップを用いないので省資源化が図れるとともに、上述したようなキャップを取り付けたままでのノズル付き吸引機構への液体容器の装填に際して生じていたノズルの破損を防止することができる。
そして、液体容器がキャップを有しない商品形態となるため、この液体容器を複写機に用いるインキを収納した容器としてその複写機に装填するものであるときには、一般のユーザーに対して、内容物が多く残っている状態での容器を不必要に取り外すという気持ちを生じさせず、内容物を最後の可能な量まで吸引する利用の形態に導くようになる。これによって収納物の経済的な使用が図れるとともに、収納物が多く残った状態での液体容器の廃棄が防止できるようになる。さらに、キャップを有しない商品形態となるので、内容物使用済みの空容器では容器内部の保全が不可能となり、再利用できる容器とはならずに廃棄物として確実に取り扱われるようになる。
よって、一旦複写機などから液体容器を取り外し、期間をおいて再び液体容器を装填するような不適切な使用形態や、使用済み空容器に不正充填した容器の不正使用形態で生じ易かった固化した内容物が機器側に吸い込まれて発生する不具合を未然に防止できる。
さらに口具本体と閉鎖体の少なくとも外周部とが熱融着可能であるので、シール強度の高い超音波融着が行えるようになり、充填済みの液体容器における口具のシール性を高め易くなるという利点がある。
【００１２】
（請求項２）
請求項２の発明により、閉鎖体を口具本体の筒状部位に囲まれた空間に入れるだけでその閉鎖体の外周部を閉鎖体融着部に対応位置させることができ、閉鎖体融着の際のその閉鎖体の位置決めが容易になる。また、閉鎖体と口具本体とを超音波融着するものであったときには、超音波融着の部分が挿入孔から離れた位置となり、融着時に溶融して粉になった樹脂が挿入孔に入らないようにすることができる。
（請求項３）
請求項３の発明により、挿入孔の周りに内筒部があるので、閉鎖体と口具本体とを超音波融着するものであったときには、融着時に溶融した樹脂が粉になって挿入孔に入るのを防止することができる。
（請求項４）
請求項４の発明により、挿入孔の周りに内筒部があるので、閉鎖体と口具本体とを超音波融着するものであったときには、融着時に溶融した樹脂が粉になって挿入孔に入るのを防止することができる。
【００１３】
（請求項５）
請求項５の発明により、発泡シートが超音波融着の際の超音波振動を吸収するため、発泡シート自体が溶融せずにクッション性を確保し、この発泡シートを介在している部分での閉鎖体と対応部との位置関係の誤差を許容して熱融着時の圧接に際して閉鎖体と対応部とが確実に接するようになる。即ち、閉鎖体や口具本体に形状誤差があって閉鎖体を配置したときに閉鎖体が設計上の適正位置になくとも、熱融着時の圧接に際して発泡シートが変形して閉鎖体と対応部とが確実に接することとなる。よって、閉鎖体の外周部と口具本体の対応部とに高い製造精度が要求されず、製造コストを引き下げることができる。
さらに、発泡シートが超音波融着したときに生じる樹脂粉を捕捉し、樹脂粉が挿入孔に入り込むのを防止するようになる。
【００１４】
（請求項６）
請求項６の発明により、発泡シートを低コストにて製造することができる。そして、発泡材料としてよくみられるポリウレタン樹脂のものに比べ長期に亘り劣化が少なく、また内容物への影響が少ないという利点がある。
（請求項７）
請求項７の発明により、ノズルの突き刺しによって閉鎖体が裂けるように開口し、切断片が容器本体に入ることを防止できる。
（請求項８）
請求項８の発明により、閉鎖体の外周部が対応する口具本体側の対応部に容器本体に充填した際の内容物の一部が付着し、仮にこの状態で閉鎖体が配置され、閉鎖体の外周部と口具本体の対応部との間に内容物が位置していたとしても、超音波融着の振動で内容物が除かれ確実に融着するようになる。
（請求項９）
請求項９の発明により、口具に異物が入らない状態で破断容易なフィルムを被せたままノズルの差し込みができ、突き刺しの際の異物引き込みによるノズルの損傷を防止できる。
【発明を実施するための最良の形態】
【００１５】
つぎに本発明を図１から図１０に示す実施の形態に基づいて詳細に説明する。
図中１は液体容器で、該液体容器１はフレキシブルでヒートシール性があって超音波融着も可能なフィルム素材で構成された容器本体２と、この容器本体２の側面の下端側に寄せて取り付けられた口具３とからなるものである。この液体容器１は粘度の比較的高い内容物、例えばインキなどの液体が収納される容器であって、前記口具３を通して内容物の充填を行なってから口具３を閉じ、そしてこの液体容器１を複写機のインキ吸引機構が備えられている容器装填部などのように収納した内容物を吸引するための吸引機構との接続を前記口具３に対して行なうことでこの口具３が開き、内容物を送出できるようにしている。図２に示すように内容物の充填と吸引に対応するために口具３では、液体を引き出す吸引機構のノズルが挿入可能な挿入孔４を有し、内容物充填後に前記挿入孔４が閉じられ、ノズルによる突き刺しで挿入孔４の閉状態が解かれる構成としている。よって、本液体容器１では、内容物を充填して口具３の挿入孔４が閉じられた製品の形態となり、後述するように挿入孔４に対する確実な閉鎖を確保してキャップを不要としている。なお、図１において、口具正面から容器本体内側に向けてノズルを差し込むノズル挿入方向を矢印Ｘで示した。
【００１６】
口具３は超音波融着可能な素材から成形されている口具本体５と閉鎖体６とから構成されている。前記口具本体５は図示されているように上記挿入孔４を有するものであり、その挿入孔４の周囲に環状部位７が広がり、その環状部位７の周りにノズル挿入方向上方に向けて延設されて周方向に連続する立壁からなる筒状部位８を一体に備え、前記筒状部位８でのノズル挿入方向上方側、即ち先端側をテーパー状に開いた受け口９としている。また、筒状部位８の外周には上記容器本体２のフィルム素材の内面に超音波融着されているフランジ１０を一体に備えているとともに、この口具本体５の容器本体内部側に位置する部分には、前記環状部位８の容器本体内方側となる面からノズル挿入方向下方に向けて突出する複数の凸部１１も一体に備えている（図２参照）。
なお、前記複数の凸部１１は容器本体の内部側に向けて差し込まれたノズルが内容物を吸引するときの吸引力を損なわない隙間を持って配置されていて、ノズル吸引時にノズル先端周りの領域が対向側のフィルム素材で閉鎖されないようにして内容物のノズル側への流れ空間を確保するものである。
【００１７】
上記実施の形態での環状部位７には、挿入孔４の周りを囲む凹溝１２が構成されている。即ち、挿入孔４の開口周縁をノズル挿入方向上方に向けて突出させて挿入孔４の周方向に連続する立壁からなる内筒部１３を一体に備え、この内筒部１３と前記筒状部位８との間が凹溝１２として形成されている。
また、閉鎖体６を乗せた状態の図３に示すように、環状部位７との連続部分であって、環状部位７に対してノズル挿入方向上方位置となる筒状部位８の基端８ａには、筒状部位８で囲まれた内空間Ａ側で段状にして閉鎖体融着部（エネルギーダイレクタ）１４が一体に設けられていて、ノズル挿入方向において、上記内筒部１３の突出高さ位置がこの閉鎖体融着部１４の高さ位置より上方位置となるように設けられている。
【００１８】
挿入孔４を覆う上記閉鎖体６は外周部をノズル挿入方向下方に向けて厚肉となるようにし、中央部をフィルム状の薄肉にした形態であって、熱融着可能な素材から成形された環状のプレート１５の上面に二軸延伸してなるフィルムを一層含むシート１６を貼り合わせたものである（図５）。
閉鎖体６の外径は上記筒状部位８の内径より少し小さく設定されて平面を円とした形状であり、筒状部位８で囲まれた内空間Ａに挿入することで環状のプレート１５が凹溝１２に対応するように配置され、中央部で単独に張設された状態となるシート１６が挿入孔４の上方に対応するように設けられている。
図３に示されているように閉鎖体６を内空間Ａに入れたときには、上記プレート１５は内筒部１３の上端に乗ることなく凹溝１２に若干入り込み、上記閉鎖体融着部１４にプレート１５の下面の外縁１７が乗った状態で接触するようにしている。このように内空間Ａに入れられて閉鎖体融着部１４に閉鎖体６の外周部が乗った状態にし、ノズル挿入方向上方から超音波融着機のホーンを閉鎖体６のプレート１５に押圧してその融着機を動作させ、前記閉鎖体６の外周部、即ちプレート１５の下面の外縁１７と段状の閉鎖体融着部１４とを超音波融着している（図４）。このようにすることにより液体容器１では閉鎖体６により口具３を介した容器本体２から外部への液体流路が閉じられた構造となっている。
【００１９】
図４では閉鎖体６のプレート１５が閉鎖体融着部１４に超音波融着されている状態を示している。プレート１５と閉鎖体融着部１４とを超音波融着したことで、プレート１５が閉鎖体融着部１４に乗っている状態に比べて、プレート１５が凹溝１２に深く入った状態となる。
超音波融着に際して融着する部分で溶けた樹脂が粉として飛び散る可能性があるが、本実施の例では上述したように閉鎖体融着部１４が内筒部１３の突出高さ位置よりノズル挿入方向下方に位置しているため、内筒部１３が防護壁となり、飛び散る粉が挿入孔４に入るのを防止している。
なお、閉鎖体６が内空間Ａの中心に対して芯ずれした状態で配置されても、プレート１５の下面の外縁１７が閉鎖体融着部１４から外れないようにプレート１５の外径および閉鎖体融着部１４の内空間Ａの中心への張り出し寸法が設定されている。同じく、閉鎖体６が内空間Ａの中心に対して芯ずれした状態で配置されても、プレート１５の内周面が内筒部１３に接触しないようにプレート１５の内径が設定されている。
【００２０】
充填された内容物を吸引する場合には、上述したように複写機の容器装填部分などにある吸引機構のノズルに口具３が対応するように液体容器１を装填してから、例えば機器側の操作で口具３がノズル側にあてがわれ、そのノズルが閉鎖体６の中央部にあるシート１６を突き刺し開口して挿入孔４に入り込むようにすればよい。これによって内容物の吸引が行えるものとなる。
【００２１】
上記実施の形態では、口具本体５の筒状部位８の基端８ａに段状にして閉鎖体融着部１４を設けて、ここに閉鎖体６のプレート１５を超音波融着したが、図６に示すように環状部位７にも挿入孔４を取り囲むレイアウトにした突堤状の閉鎖体融着部（エネルギーダイレクタ）１８を一体に設け、超音波融着をこの環状部位７の閉鎖体融着部１８とプレート１５の下面との間でも行なったものとすることができる。勿論、基端８ａに閉鎖体融着部１４を形成せずに、環状部位７の前記閉鎖体融着部１８とプレート１５の下面とだけで超音波融着を行なう構成としてもよい。
また、図７に示すように上記受け口９を破断容易なフィルム１９で覆うようにしてもよく、このようにすれば未使用状態の液体容器における口具３に異物が混入するのを防止できる。この場合、ノズルでフィルム１９も合わせて突き刺し開口すれば手間を要することがない。
【００２２】
図８から図１０は他の実施の形態を示している。上記実施の形態では挿入孔４の開口周縁に内筒部１３を一体に設けて、超音波融着時の溶けた樹脂の粉が挿入孔４に入るのを防止していたが、この実施の形態では内筒部を有しておらず、他の手段によって樹脂粉が挿入孔４に入るのを防止している。
図示されているように、この実施の形態では環状部位７の挿入孔４の開口周縁をノズル挿入方向下方に段状にして落とし込んで発泡シート受け部２０を形成している。そして、この発泡シート受け部２０に開口部分を挿入孔４と同じ広さとした環状の発泡シート２１を配置して、閉鎖体６のプレート１５の下面（ノズル挿入方向下方側となる面）と環状部位７の段落ちした部分である前記発泡シート受け部２０の上面との間に前記発泡シート２１が介在するように設けられている。また、閉鎖体６のプレート１５の下面の外縁１７は上記基端８ａに位置して上面が内空間中心の下方に向けて傾斜している閉鎖体融着部１４に対応している。
この実施の形態では、図８に示すように閉鎖体６のプレート１５からなる外周部の下面に上記発泡シート２１を介在し、プレート１５の外縁１７が閉鎖体融着部１４に対応するように内空間Ａ内に配置され（図９）、この状態でノズル挿入方向上方側から超音波溶着機のホーンがプレート１５に対応する位置であてがわれ、押圧した状態で超音波融着機を動作させて、前記閉鎖体融着部１４とプレート１５の外縁１７とが超音波融着されているものであり（図１０）、これによって閉鎖体６が挿入孔４を覆って内容物の漏れを防止し、かつノズル突き刺し開口による内容物の吸引も行える構成としている。
【００２３】
この実施の形態では環状の発泡シート２１の外径がプレート１５の外縁１７と揃わないようにプレート１５の外径より小さく設定されていて、閉鎖体６を配置した際に前記プレート１５の下面における前記外縁１７を除いた領域で発泡シート２１が接している。そして、この発泡シート２１はポリエチレン樹脂から成形されたクッション性を有するシートであり、上記超音波融着機による振動を吸収して発泡シート２１自体が溶融することがなく、クッション性を維持できるようにしている。さらにプレート１５の外縁１７と閉鎖体融着部１４との超音波溶着で生じる溶けた樹脂の粉が飛び散ったとしても、この発泡シート２１が樹脂粉を受け止めて挿入孔４に入るのを確実に防止し、樹脂粉が混入した内容物を吸引したことを原因とする複写機などの機械側の故障を回避できる。
【００２４】
なお、上述した各実施の形態での液体容器１は容器本体全体がフレキシブルなフィルム素材からなるものとして説明したが、本発明はこれに限定されるものではない。例えば容器本体において表面積の一部分を占める領域を上記口具本体の材質と同一の素材からなる硬質の面板とし、他の部分がフィルム素材からなる構造のものとすることも可能であり、その面板に口具本体を一体に形成することも可能である。また、上記閉鎖体６を、環状のプレート１５の上面にシート１６を貼り合わせたものとして示したが、閉鎖体６はこの構成に限定されるものではなく、プレートとシートとを一体に成形したものであってもよい。この場合の素材としてポリエチレン樹脂を用いることが良好である。
【図面の簡単な説明】
【００２５】
【図１】本発明に係る液体容器の一例を示す説明図である。
【図２】一例における口具を断面で示す説明図である。
【図３】閉鎖体を配置した状態でのプレートと閉鎖体融着部とを示す説明図である。
【図４】プレートの外縁と閉鎖体融着部とが融着した状態を示す説明図である。
【図５】閉鎖体を示す説明図である。
【図６】環状部位に閉鎖体融着部を設けた例を示す説明図である。
【図７】破断容易なフィルムで受け口を覆った例を示す説明図である。
【図８】他の例を断面で示す説明図である。
【図９】他の例において閉鎖体を配置した状態を示す説明図である。
【図１０】他の例においてプレートの外縁と閉鎖体融着部とが融着した状態を示す説明図である。
【図１１】従来例を示す説明図である。
【符号の説明】
【００２６】
１…液体容器
２…容器本体
３…口具
４…挿入孔
５…口具本体
６…閉鎖体
７…環状部位
８…筒状部位
８ａ…基端
９…受け口
１３…内筒部
１４…閉鎖体融着部
１５…環状のプレート
１６…シート
１７…外縁
１８…閉鎖体融着部
１９…破断容易なフィルム
２１…発泡シート
【図１】
2006240646.tif 000003
【図２】
2006240646.tif 000004
【図３】
2006240646.tif 000005
【図４】
2006240646.tif 000006
【図５】
2006240646.tif 000007
【図６】
2006240646.tif 000008
【図７】
2006240646.tif 000009
【図８】
2006240646.tif 000010
【図９】
2006240646.tif 000011
【図１０】
2006240646.tif 000012
【図１１】
2006240646.tif 000013